(57)【特許請求の範囲】
【請求項１】
建物内の区画間に設置されて、該区画間の開口部を開閉する防火引き戸であって、
不燃性の幕材と、
上記幕材を巻き取るための幕材巻取部と、
上記幕材巻取部から上記幕材を繰り出して支持するための折り畳み式の幕材支持枠とを備え、
上記幕材巻取部は、上記開口部周縁の側壁部に設けられる一方、
上記幕材支持枠は、その基端部が上記側壁部に固定されて、上記開口部の上縁および下縁に沿って水平方向に伸縮自在に構成され、その伸長動作により、上記幕材巻取部から上記幕材を水平方向に繰り出して、上記幕材で上記開口部を閉塞するようになっていることを特徴とする防火引き戸。
【請求項２】
上記幕材支持枠は、上記開口部の上縁に沿って伸縮する上側アームと、上記開口部の下縁に沿って伸縮する下側アームと、上記上側アームの先端部と上記下側アームの先端部との間に架設された接合部とからなり、該接合部に上記幕材が固定または巻き掛けられていることを特徴とする請求項１に記載の防火引き戸。
【請求項３】
上記開口部の上縁に溝部を形成し、その溝部内に、上記幕材支持枠を水平方向に案内するためのガイド部を設けたことを特徴とする請求項２に記載の防火引き戸。
【請求項４】
上記上側アームが水平に伸びたときに、この上側アームと上記溝部との間に上記幕材の上端部が挟み込まれる構成としたことを特徴とする請求項３に記載の防火引き戸。
【請求項５】
上記開口部の上縁と下縁にそれぞれスリットを形成し、それらスリットに、上記幕材の上端部と下端部がそれぞれ挿入される構成としたことを特徴とする請求項１に記載の防火引き戸。
【請求項６】
上記幕材支持枠の両面に上記幕材を配置したことを特徴とする請求項１に記載の防火引き戸。
【請求項７】
上記幕材支持枠を伸長方向に付勢する付勢手段を設けたことを特徴とする請求項１に記載の防火引き戸。
【請求項８】
当該防火引き戸を両引き戸として使用する場合に、双方の引き戸を閉じたときに、それぞれの接合部の凹凸が互いに噛み合って密着するようになっていることを特徴とする請求項２に記載の防火引き戸。
【発明の詳細な説明】
【技術分野】
【０００１】
本発明は、建物内の防火区画に用いて好適な防火引き戸に関するものである。
【背景技術】
【０００２】
建物内を防火区画するための従来のシステムとして、例えば、鋼製シャッターや耐火スクリーンを用いたシステムが知られている。これらシステムにおいては、シャッターやスクリーンを天井部に巻き取り収納し、それらシャッターやスクリーンを火災発生時に繰り出して降下させることにより、建物内を間仕切りして防火区画するものとなっている。これらシステムによれば、シャッターやスクリーンを巻き取り収納することができるため、収納スペースを低減できるという利点が得られる。
【０００３】
しかしながら、上記鋼製シャッターを用いたシステムにおいては、自重を利用してシャッターを降下させるようにしているため、シャッターと床面との間に避難者が挟まれ、負傷する事例が多々ある。また、鋼製シャッターを用いたシステムでは、シャッターの面内に避難者等が通過するための開閉機構を設けることができないため、シャッターの隣接位置に防火扉を別途設ける必要がある。
【０００４】
一方、耐火スクリーンを用いたシステムの場合には、スクリーンに使用する不燃布自体は極めて軽量であるが、スクリーンを降下させるためにその下端に錘となる金属板を設置する必要があるため、スクリーンの降下時に、上記鋼製シャッターを用いたシステムと同様に、避難者が挟まれる懸念がある。
【０００５】
また、耐火スクリーンを用いたシステムの中には、耐火スクリーンに切り込みを入れて避難者等が通過するための開閉機構を設けたものも知られている（例えば特許文献１参照）。しかしながら、このシステムの場合、避難者の通過後に自動的に閉塞するようにしたり、或いは火災時に生じる火災区画と隣接区画との差圧によって切り込み部分が開閉されないようにするために、錘となる金属板が必要であり、それが避難の際に足などにあたった場合には、避難者が負傷する可能性がある。また、車椅子利用者が切り込みを通過する際には、身を乗り出して開放動作を行う必要があるため、使い勝手にも難点がある。
【０００６】
また、耐火スクリーンに開閉機構を設けた他のシステムとして、スクリーンに通過用開口部を形成し、該通過用開口部にこれを開閉するスライド式の扉を設けたものも知られている（例えば特許文献２参照）。しかしながら、かかるシステムにおいても、スクリーンを降下させるための錘が必要となるため、同様に、錘と床面との間に避難者が挟まれるおそれがある。また、スクリーンの面内に設けたスライド式の扉を開けるのは、車椅子利用者に限らずとも、必ずしも容易なことではなく、また上記通過用開口部を車椅子で通過する際には、床面の錘が通行の妨げとなる懸念もある。
【０００７】
【特許文献１】特開２００３−７０９２９号公報
【特許文献２】特開平１０−２８６３２２号公報
【発明の開示】
【発明が解決しようとする課題】
【０００８】
本発明は、かかる事情に鑑みてなされたもので、火災時に火炎や煙を遮断することができ、これにより延焼を防いで或いは遅らせて火災被害の拡大を抑制することができるとともに、子供や高齢者、車椅子利用者等の災害弱者であっても、開閉が容易に行える安全性に優れた防火引き戸を提供することを目的とする。
【課題を解決するための手段】
【０００９】
請求項１に記載の本発明に係る防火引き戸は、建物内の区画間に設置されて、該区画間の開口部を開閉する防火引き戸であって、不燃性の幕材と、上記幕材を巻き取るための幕材巻取部と、上記幕材巻取部から上記幕材を繰り出して支持するための折り畳み式の幕材支持枠とを備え、上記幕材巻取部は、上記開口部周縁の側壁部に設けられる一方、上記幕材支持枠は、その基端部が上記側壁部に固定されて、上記開口部の上縁および下縁に沿って水平方向に伸縮自在に構成され、その伸長動作により、上記幕材巻取部から上記幕材を水平方向に繰り出して、上記幕材で上記開口部を閉塞するようになっていることを特徴とするものである。
【００１０】
請求項２に記載の発明は、請求項１に記載の防火引き戸において、上記幕材支持枠は、上記開口部の上縁に沿って伸縮する上側アームと、上記開口部の下縁に沿って伸縮する下側アームと、上記上側アームの先端部と上記下側アームの先端部との間に架設された接合部とからなり、該接合部に上記幕材が固定または巻き掛けられていることを特徴とするものである。
【００１１】
請求項３に記載の発明は、請求項２に記載の防火引き戸において、上記開口部の上縁に溝部を形成し、その溝部内に、上記幕材支持枠を水平方向に案内するためのガイド部を設けたことを特徴とするものである。
【００１２】
請求項４に記載の発明は、請求項３に記載の防火引き戸において、上記上側アームが水平に伸びたときに、この上側アームと上記溝部との間に上記幕材の上端部が挟み込まれる構成としたことを特徴とするものである。
【００１３】
請求項５に記載の発明は、請求項１に記載の防火引き戸において、上記開口部の上縁と下縁にそれぞれスリットを形成し、それらスリットに、上記幕材の上端部と下端部がそれぞれ挿入される構成としたことを特徴とするものである。
【００１４】
請求項６に記載の発明は、請求項１に記載の防火引き戸において、上記幕材支持枠の両面に上記幕材を配置したことを特徴とするものである。
【００１５】
請求項７に記載の発明は、請求項１に記載の防火引き戸において、上記幕材支持枠を伸長方向に付勢する付勢手段を設けたことを特徴とするものである。
【００１６】
請求項８に記載の発明は、請求項２に記載の防火引き戸において、当該防火引き戸を両引き戸として使用する場合に、双方の引き戸を閉じたときに、それぞれの接合部の凹凸が互いに噛み合って密着するようになっていることを特徴とするものである。
【発明の効果】
【００１７】
本発明によれば、幕材を水平方向に繰り出して開口部を閉塞する構成としたため、従来のような幕材を降下させるための錘等が不要となり、防火引き戸自体の軽量化を図ることができる。また、引き戸タイプの防火戸としたため、子供や高齢者、車椅子利用者等の災害弱者であっても、容易に開閉操作を行うことができる。また、床面付近に障害物が存在しないため、車椅子利用者等の災害弱者であっても、防火引き戸が設けられた避難通路を円滑且つ安全に通行することができる。
【発明を実施するための最良の形態】
【００１８】
［第１の実施形態］
図１は、本発明に係る防火引き戸の第１の実施形態（ダブルスクリーンタイプ）を示すもので、図中符号１は防火引き戸、符号２は防火引き戸によって開閉される開口部、符号３は開口部を開放したときに防火引き戸が収納される収納スペースである。
【００１９】
本実施形態の防火引き戸１は、不燃性の幕材５と、幕材５を巻き取るための幕材巻取部６と、幕材巻取部６から幕材５を繰り出して支持するための折り畳み式の幕材支持枠７とにより概略構成されている。
幕材５には、例えば、シリカクロスやガラスクロス、炭素繊維織布等の軽量な不燃布が用いられている。この幕材５の幅寸法は、開口部２の高さ寸法よりも若干大きく設定されている。
【００２０】
幕材巻取部６は、開口部２周縁の側壁部に設けられた凹状の収納スペース３内に配置されている。この幕材巻取部６は、幕材５をロール状に巻き取るための巻取りドラム８と、これを回転自在に支承する支持金具（図示省略）と、巻取りドラム８を回転駆動するための駆動装置（図示省略）等により構成されている。巻取りドラム８は、鉛直軸を中心に回転自在に保持され、その回転により、幕材５を水平方向に繰り出し可能となっている。本実施形態では、幕材支持枠７の一側に巻取りドラム８が配置され、この巻取りドラム８から繰り出された幕材５が幕材支持枠７先端のローラ１７（後述）に巻き掛けられて、当該幕材５の先端部が幕材支持枠７の他側の側壁部に固定されている。すなわち、幕材５が、幕材支持枠７の先端部で折り返されて幕材支持枠７の両側に配置された状態となっている。かかる構成によれば、幕材間に空気層が形成されるため、当該防火引き戸１の断熱性能を向上させることができる。また、幕材支持枠７が幕材５により覆われることとなるため、幕材支持枠７を高温の空気や煙等から保護することもできる。
【００２１】
幕材支持枠７は、開口部２の上縁に沿って伸縮する上側アーム１１と、開口部２の下縁に沿って伸縮する下側アーム１２と、上側アーム１１の先端部と下側アーム１２の先端部との間に架設された接合部１３とにより構成されている。上側アーム１１は、基端部が開口部上縁の角隅部（収納スペース３の天井部）に揺動自在に取り付けられた第１リンク１４と、この第１リンク１４の先端部に揺動自在に連結された第２リンク１５とを有する中央で折り曲げ可能なアームで、第２リンク１５の先端部が、接合部１３の上端部に揺動自在に連結されている。同様に、下側アーム１２は、基端部が開口部下縁の角隅部（収納スペース３の床部）に揺動自在に取り付けられた第１リンク１４と、この第１リンク１４の先端部に揺動自在に連結された第２リンク１５とを有する中央で折り曲げ可能なアームで、第２リンク１５の先端部が、接合部１３の下端部に揺動自在に連結されている。これにより、上側アーム１１および下側アーム１２は、２つに折り畳まれて収納スペース３内に収納された状態（図１（ａ）の状態）から、開口部２の上縁および下縁に沿って水平に伸びた状態（図１（ｃ）の状態）にまで、伸縮自在となっている。
【００２２】
また、図示は省略するが、上側アーム１１および下側アーム１２の内部には、その基端部から先端部に亘って、各々を伸長方向に付勢するコイルバネ（付勢手段）が配設されている。一方、開口部２周縁の側壁部には、各アーム１１，１２を折り畳んだ状態で保持するためのストッパが配設され、火災報知器が火災を検知したときや手動による開放操作があったときに、当該ストッパによる拘束が解除されて、上記コイルバネの作用により各アーム１１，１２が水平方向に伸長するようになっている。
【００２３】
接合部１３は、本実施形態では、図２に示すように、１または複数のローラ１７により構成されている。当該防火引き戸１を両引き戸として使用する場合には、双方の引き戸を閉じたときに、それぞれの先端部の凹凸が互いに噛み合うように（隙間が生じないように）ローラ１７が配置される。例えば、図２（ａ）に示すように、一方の引き戸が１軸タイプのローラの場合には、他方の引き戸のローラとして、２軸タイプのローラが用いられ、図２（ｂ）に示すように、一方の引き戸が２軸タイプのローラの場合には、他方の引き戸のローラとして、３軸タイプのローラが用いられる。なお、例えば、図２（ｃ）および図２（ｄ）に示すように、一方の引き戸のローラを３軸タイプとして、その中央のローラを他方の引き戸側にずらして配置するとともに、他方の引き戸のローラを２軸タイプとして、それらローラの間隔を３軸ローラの外側のローラの間隔に合わせるようにすれば、双方の引き戸のスクリーン幅を同一にすることが可能である。
【００２４】
接合部１３の上端部には、図３に示すように、断面略コ字状の取付金具１９を介して一対の車輪２０が取り付けられている。一方、開口部２の上縁には、溝部４が形成され、この溝部４内には、上記車輪２０を開口部２の上縁に沿って水平方向に案内・支持するためのガイドレール（ガイド部）２１が敷設されている。
また、溝部４は、幕材支持枠７が伸長したときに上側アーム１１の上端部を嵌入し得るように、その形状や各部の寸法が設定されている。例えば、図４（ａ）に示すように、上側アーム１１の断面形状が、上底よりも下底が長い台形状の場合には、溝部４の断面形状は矩形状とされ、図４（ｂ）に示すように、上側アーム１１の断面形状が矩形状の場合には、上底よりも下底が長い台形状とされる。何れの場合においても、幕材支持枠７が伸長したときに、上側アーム１１が溝部４内に嵌入し、その両側の幕材５の上端部が、上側アーム１１と溝部４の内壁面との間にそれぞれ挟み込まれた状態となる。これにより、当該防火引き戸１の天井部（開口部２の上縁）における気密性が高められると同時に、幕材５の脱落も防止される。
【００２５】
また、収納スペース３近傍の側壁部には、図５および図６に示すように、幕材支持枠７を開口部２の下縁に沿って水平方向に案内するためのガイドレール（以下、下部ガイドレールと称する。）２２が取り付けられている。この下部ガイドレール２２は、スライド式に伸縮自在に構成されるとともに、上記側壁部に沿って起立した状態から、床面に沿って倒れた状態にまで可逆的に回動可能となっている。通常時には、図５（ａ）および図６（ａ）に示すように、起立した状態で且つ縮小状態で、収納スペース３の開口を塞ぐように配置されている。この状態から、例えば火災が発生すると、その検知信号等に基づいて、図５（ｂ），図５（ｃ），図６（ｂ）および図６（ｃ）に示すように、倒れて床面に設置される。その後、図５（ｄ）および図６（ｄ）〜図６（ｆ）に示すように、幕材支持枠７が伸長すると、それに合わせて水平方向にスライドしながら伸びて行く。
【００２６】
この下部ガイドレール２２は、図７に示すように、幕材支持枠７が伸長したときに下側アーム１２の下端部を嵌入する凹部を有している。この凹部内に下側アーム１２が嵌入すると、上側アーム１１と同様、その両側の幕材５の下端部が、下側アーム１２と下部ガイドレール２２との間にそれぞれ挟み込まれた状態となる。
【００２７】
上記構成からなる防火引き戸１においては、通常時は、図１（ａ）に示すように、幕材支持枠７が折り畳まれた状態で、また幕材５が巻取りドラム８に巻き取られた状態で、それぞれ収納スペース３内に格納されている。
【００２８】
この状態から、建物内で火災が発生すると、その検知信号等に基づいて、ストッパが外れて幕材支持枠７に対する拘束が解除される。これにより、図１（ｂ）に示すように、幕材支持枠７の各アーム１１，１２が、コイルバネの作用により、ガイドレール２１，２２に沿って水平方向に伸長し、その伸長動作によって、幕材支持枠７の接合部１３に巻き掛けられた幕材５が巻取りドラム８から繰り出される。
【００２９】
そして、幕材支持枠７の両アーム１１，１２が水平に伸びた状態になると、図１（ｃ）に示すように、張り出された幕材５が開口部２全体を覆い、その上端部が上側アーム１１と溝部４の内壁面との間に挟み込まれ、下端部が下側アーム１２と下部ガイドレール２２との間に挟み込まれる。また、幕材支持枠７の接合部１３がこれと対をなす他方の引き戸の接合部（片引き戸の場合には、収納スペース３と反対側の側壁面）と凹凸が噛み合って密着した状態で配置される。これにより、当該防火引き戸１の天井部および床部における気密性、並びに引き戸どうしの気密性がそれぞれ保たれた状態で、幕材５により開口部２が閉塞されることとなる。
【００３０】
この状態から、例えば避難者が接合部１３を掴んで開方向に力を加えると、幕材支持枠７の各アーム１１，１２がＶ字状または逆Ｖ字状に折れて、それらアーム１１，１２が溝部４および下部ガイドレール２２から離脱するとともに、接合部１３が収納スペース３側に後退することにより、当該防火引き戸１が開放された状態となる。
その後、避難者が開口部２を通過して接合部１３から手を離すと、上述したコイルスプリングの作用により両アーム１１，１２が再び水平に伸びて、自動的に閉じた状態に戻る。
【００３１】
また、上記のように閉じた状態から、幕材巻取部６の駆動装置を操作して、幕材５を巻き取る方向に巻取りドラム８を回転させると、幕材５が巻取りドラム８に巻き取られると同時に、この幕材５に牽引されて、幕材支持枠７の各アーム１１，１２が折り畳まれ、幕材支持枠７全体が収納スペース３内に収納されることとなる。これにより、開口部２が開放された状態となる。
【００３２】
以上のように、本実施形態によれば、幕材５を水平方向に繰り出して開口部２を閉塞する構成としたため、従来のような幕材５を降下させるための錘等が不要となり、防火引き戸自体の軽量化を図ることができる。また、引き戸タイプの防火戸としたため、子供や高齢者、車椅子利用者等の災害弱者であっても、容易に開閉操作を行うことができる。また、床面付近に障害物が存在しないため、車椅子利用者等の災害弱者であっても、当該防火引き戸１が設けられた避難通路を円滑且つ安全に通行することができる。
【００３３】
また、本実施形態においては、幕材支持枠７が伸長したときに、（１）上側アーム１１と溝部４の内壁面との間に幕材５の上端部が挟み込まれ、（２）下側アーム１２と下部ガイドレール２２との間に幕材５の下端部が挟み込まれ、さらに（３）接合部１３がこれと対をなす他方の引き戸の接合部（若しくは、収納スペース３と反対側の側壁面）と凹凸が噛み合って密着した状態で配置される構成としたので、当該防火引き戸１の気密性を高めることができ、火災時に火炎や煙を効果的に遮断することができる。
【００３４】
さらに、本実施形態においては、開口部周縁の側壁部に幕材５を巻き取り収納する構成としたので、その収納スペースを低減することができる。また、天井部に収納する場合と比較して、防火引き戸１の点検を容易に行うことができ、当該システムの信頼性および安全性を向上させることができる。
【００３５】
なお、本実施形態においては、幕材支持枠７の片側に巻取りドラム８を配置する構成としたが、例えば、図８に示すように、幕材支持枠７の両側に巻取りドラム８を配置する構成とすることも可能である。この場合、各巻取りドラム８から繰り出された幕材５の先端部が幕材支持枠７の接合板（接合部）２５に固着される。接合板２５は、これと対をなす他方の引き戸の接合板と密着し得る形状とされ、例えば、図９（ａ）に示すように、一方の引き戸の接合板２５が平板状である場合には、他方の引き戸の接合板２５も平板状とされる。また、図９（ｂ）および図９（ｃ）に示すように、一方の引き戸の接合板２５が凹凸を有するもの（波型タイプ、かまちタイプなど）である場合には、その凹凸と噛み合うように、他方の引き戸の接合板２５も凹凸を有するものとされる。
【００３６】
［第２の実施形態］
図１０は、本発明に係る防火引き戸の第２の実施形態（シングルスクリーンタイプ）を示す図である。本実施形態において、第１の実施形態で示した構成要素と共通する要素には同一の符号を付し、その説明を簡略化する。
【００３７】
この第２の実施形態においては、巻取りドラム８から繰り出された幕材５の先端部が幕材支持枠７の接合部１３に固着されている。また、幕材５の両側には上下の両アーム１１，１２がそれぞれ配置され、それらアーム１１，１２の先端部が接合部１３に連結されている。すなわち、本実施形態では、幕材支持枠７が１枚の幕材５をその両側から支持する構成となっている。
【００３８】
接合部１３は、本実施形態では、ローラ１７ではなく、接合板３１により構成されている。この接合板３１は、前述した接合板２５と同様、これと対をなす他方の引き戸の接合板と密着し得る形状とされ、例えば、図１１（ａ）に示すように、一方の引き戸の接合板３１が平板状である場合には、他方の引き戸の接合板３１も平板状とされる。また、図１１（ｂ）および図１１（ｃ）に示すように、一方の引き戸の接合板３１が凹凸を有するもの（波型タイプ、かまちタイプなど）である場合には、その凹凸と噛み合うように、他方の引き戸の接合板３１も凹凸を有するものとされる。
【００３９】
この接合板３１の上端部には、図３（ｄ）に示すように、取付金具１９を介して一対の車輪２０が取り付けられている。一方、開口部上縁の溝部４内には、上記車輪２０を開口部２の上縁に沿って水平方向に案内するためのガイドレール２１が敷設されている。
【００４０】
また、溝部４は、図１２に示すように、幕材支持枠７が伸長したときに上側アーム１１の上端部を嵌入し得るように、その形状や各部の寸法が設定され、その奥部には、幕材５の上端部を挿入するためのスリット３２が形成されている。同様に、開口部２の下縁（床面）にも、図１３に示すように、幕材５の下端部を挿入するためのスリット３３が形成されている。また、幕材５の上端部と下端部には、図１４および図１５に示すように、スリット３２，３３内の幕材５を自立させるための蛇腹バネ３４，３５が取り付けられている。すなわち、幕材支持枠７が伸長したときに、幕材５の上端部が溝部４のスリット３２内に挿入されるとともに、幕材５の下端部が床面のスリット３３内に挿入され、これにより、床面や天井部における気密性が高められるようになっている。また、幕材支持枠７が伸長した際には、図１２に示すように、一対の上側アーム１１が幕材５を間に挟んだ状態で溝部４内に嵌入することとなるため、幕材５が一対の上側アーム１１にクランプされた状態（吊り支持された状態）となる。なお、床面側に関しては、底面に上記スリット３３を形成する代わりに、図１６に示すように、第１の実施形態で示したスライド式の下部ガイドレール２２を床面に設置するようにしてもよい。
【００４１】
上記構成からなる防火引き戸においては、通常時は、第１の実施形態と同様、図１０（ａ）に示すように、幕材支持枠７が折り畳まれた状態で、また幕材５が巻取りドラム８に巻き取られた状態で、それぞれ収納スペース３内に格納されている。また、幕材支持枠７の接合板３１が側壁面に沿って配置されて、当該接合板３１により収納スペース３の開口が閉塞された状態となっている。
【００４２】
この状態から、建物内で火災が発生すると、その検知信号等に基づいて、ストッパが外れて幕材支持枠７に対する拘束が解除される。これにより、図１０（ｂ）に示すように、幕材支持枠７の各アーム１１，１２が、コイルバネの作用により、ガイドレール２１に沿って水平方向に伸長し、その伸長動作によって、接合板３１に固着された幕材５が巻取りドラム８から繰り出される。
【００４３】
そして、幕材支持枠７の各アーム１１，１２が水平に伸びた状態になると、図１０（ｃ）に示すように、張り出された幕材５が開口部２全体を覆い、その上端部および下端部が天井部および床面のスリット３２，３３内に挿入されるとともに、幕材支持枠７の接合板３１がこれと対をなす他方の引き戸の接合板（片引き戸の場合には、収納スペース３と反対側の側壁面）と凹凸が噛み合って密着した状態で配置される。これにより、当該防火引き戸１の天井部および床部における気密性、並びに引き戸どうしの気密性がそれぞれ保たれた状態で、幕材５により開口部２が閉塞されることとなる。
【００４４】
この状態から、例えば避難者が接合板３１を掴んで開方向に力を加えると、幕材支持枠７の各アーム１１，１２がＶ字状または逆Ｖ字状に折れて、上側アーム１１が溝部４から離脱するとともに、接合板３１が収納スペース３側に後退することにより、当該防火引き戸が開放された状態となる。
その後、避難者が開口部２を通過して接合部から手を離すと、上述したコイルスプリングの作用により各アーム１１，１２が再び水平に伸びて、自動的に閉じた状態に戻る。
【００４５】
以上のように、本実施形態においては、幕材支持枠７が伸長したときに、開口部２の上縁と下縁にそれぞれ形成したスリット３２，３３に、幕材５の上端部と下端部が挿入される構成としたので、第１の実施形態と同様、当該防火引き戸１の天井部および床部における気密性を高めることができ、遮煙性能を向上させることができる。
また、本実施形態においては、幕材５の両側に上下のアーム１１，１２をそれぞれ配置する構成としたので、当該防火引き戸の剛性を大きくすることができ、例えば、幕材５の両側のアームのうち、一方のアームが加熱により強度が低下しても、他方のアームで幕材５を支持することができる。
【００４６】
なお、以上の各実施形態においては、互いに回動可能に連結された第１リンク１４と第２リンク１５からなる１関節型のアームを例示したが、本発明はこれに限定されるものではなく、例えば、開口部２の幅寸法が高さ寸法よりも大きい場合には、図１７に示すように、多関節型のアームを用いることも可能である。
【００４７】
また、以上の各実施形態においては、幕材を上側アーム１１等で挟んで吊り支持する構成としたが、例えば開口部２の幅寸法が大きい場合には、幕材５の脱落をより確実に防止するために、幕材５の上端部に車輪やフック等の係止部材を装着して、それらを介して幕材５をスライド可能な状態で天井部から吊り支持する構成とすることも可能である。
【００４８】
また、以上の各実施形態においては、各アーム１１，１２の断面形状を台形状あるいは矩形状としたが、本発明はこれに限られるものではなく、溝部４や下部ガイドレール２２の形状等に応じて適宜に変更することが可能である。
【図面の簡単な説明】
【００４９】
【図１】本発明に係る防火引き戸の第１の実施形態を示すもので、上段が平断面図、下段が上段の平断面図中の一点鎖線に沿った矢視断面図である。
【図２】図１の防火引き戸の接合部を示す平面図である。
【図３】上部ガイド機構を示すもので、（ａ）が正面図、（ｂ）が側面図、（ｃ）および（ｄ）が平面図である。
【図４】図１の防火引き戸の上側アームが溝部に嵌入している状態を示す断面図である。
【図５】床面側のガイドレールを示す平面図である。
【図６】床面側のガイドレールを示す側面図である。
【図７】図１の防火引き戸の下側アームが床面側のガイドレールに嵌入している状態を示す断面図である。
【図８】図１の防火引き戸の変形例を示す平断面図である。
【図９】図８の防火引き戸の接合部を示す平面図である。
【図１０】本発明に係る防火引き戸の第２の実施形態を示すもので、上段が平断面図、下段が側面図である。
【図１１】図１０の防火引き戸の接合部を示す平面図である。
【図１２】図１０の防火引き戸の幕材上端がスリットに挿入されている状態を示す断面図である。
【図１３】図１０の防火引き戸の幕材下端がスリットに挿入されている状態を示す断面図である。
【図１４】図１０の防火引き戸の幕材上端がスリットに挿入されている状態を示す図で、（ａ）が正面図、（ｂ）が側面図である。
【図１５】図１０の防火引き戸の幕材下端がスリットに挿入されている状態を示す図で、（ａ）が正面図、（ｂ）が側面図である。
【図１６】図１０の防火引き戸の下側アームが床面側のガイドレールに嵌入している状態を示す断面図である。
【図１７】多関節型のアームの一例を示す側面図である。
【符号の説明】
【００５０】
１    防火引き戸
２    開口部
４    溝部
５    幕材
６    幕材巻取部
７    幕材支持枠
１１  上側アーム
１２  下側アーム
１３  接合部
２１  ガイドレール
３２，３３  スリット
【図１】
0004725424.tif 000002
【図２】
0004725424.tif 000003
【図３】
0004725424.tif 000004
【図４】
0004725424.tif 000005
【図５】
0004725424.tif 000006
【図６】
0004725424.tif 000007
【図７】
0004725424.tif 000008
【図８】
0004725424.tif 000009
【図９】
0004725424.tif 000010
【図１０】
0004725424.tif 000011
【図１１】
0004725424.tif 000012
【図１２】
0004725424.tif 000013
【図１３】
0004725424.tif 000014
【図１４】
0004725424.tif 000015
【図１５】
0004725424.tif 000016
【図１６】
0004725424.tif 000017
【図１７】
0004725424.tif 000018